(57)【要約】  【課題】  音声の出力を突然停止したり、音響装置の動作を突然停止することのない過熱防止装置を提供すること。  【解決手段】  本発明の過熱防止装置によれば、増幅器、電源供給手段、スピーカ手段のうちの少なくとも１つの手段に対して検出される温度変化率に応じて、リミッタ手段により制限すべきレベルの閾値が制御される。よって、温度変化率が比較的小さな温度変化を示す場合には、リミッタ手段により制限すべきレベルの閾値の変化量を小さくし、一方で、温度変化率が急激な温度上昇を示す場合には、その変化量を大きくするなど、過熱による機器の破損の危険性に応じてリミッタ手段により制限すべきレベルの閾値を適宜変更することができるという効果がある。その結果、過熱による機器の破損を確実に防止できると共に、過熱による破損によって音声又は楽音が突然停止されることを防止できる。  【選択図】    図１
2006287847.tif 000002
【特許請求の範囲】
【請求項１】
音声信号を入力する入力手段と、
その入力手段から入力された音声信号のレベルを制限して出力するリミッタ手段と、
そのリミッタ手段から出力された音声信号を増幅して出力する増幅器と、
その増幅器に対し、該増幅器を駆動する電力を供給する電力供給手段と、
前記増幅器からの出力を放音するスピーカ手段と、
そのスピーカ手段、前記増幅器、又は前記電力供給手段のうちの少なくとも１の手段の温度に応じたセンサ値を検出する温度センサ手段と、
その温度センサ手段により検出されたセンサ値を記憶する温度情報記憶手段と、
その温度情報記憶手段に記憶されている前回のセンサ値と前記温度センサ手段により検出された今回のセンサ値とから得られる温度変化率に応じて、前記リミッタ手段により制限すべきレベルの閾値を制御するリミッタ制御手段とを備えていることを特徴とする過熱防止装置。
【請求項２】
前記リミッタ制御手段は、前記温度変化率が正である場合に、その温度変化率が大きいほど、前記閾値の低下が大きくなるように制御することを特徴とする請求項１記載の過熱防止装置。
【請求項３】
前記リミッタ制御手段は、前記温度センサ手段により検出されるセンサ値に対応する温度が高くなるに従って、前記閾値の低下が大きくなるように制御する請求項１又は２記載の過熱防止装置。
【請求項４】
前記リミッタ制御手段による前記リミッタ手段の制御は、所定時間毎に繰り返し実行されることを特徴とする請求項１から３のいずれかに記載の過熱防止装置。
【請求項５】
前記入力手段から入力された音声信号を帯域分割する帯域分割フィルタ手段を備え、
前記リミッタ手段、前記増幅器、及び前記スピーカ手段は、前記帯域分割フィルタ手段により分割された帯域に応じて形成される前記音声信号の出力経路上に配置されており、
前記リミッタ制御手段は、前記分割された帯域毎に配置された前記リミッタ手段のそれぞれに対し、各リミッタ手段により制限すべきレベルの閾値を、それぞれのリミッタ手段に対応する前記出力経路上に配置された前記スピーカ手段及び前記増幅器の温度変化率に応じて制御することを特徴とする請求項１から４記載の過熱防止装置。
【請求項６】
前記リミッタ制御手段は、前記各リミッタ手段に対応する前記出力経路上に配置された前記スピーカ手段及び前記増幅器の温度変化率とその増幅器に電力を供給する前記電力供給手段の温度変化率の中で、最も高い温度上昇を示す温度変化率に応じて、対応するリミッタ手段により制限すべきレベルの閾値を制御することを特徴とする請求項５記載の過熱防止装置。
【発明の詳細な説明】
【技術分野】
【０００１】
本発明は、音響装置の過熱を防止する過熱防止装置に関し、特に、音声の出力を突然停止したり、動作を突然停止することのない過熱防止装置に関する。
【背景技術】
【０００２】
楽器用アンプ（音響装置）は、一般的に、シンセサイザーやオルガンなどの持続音楽器やベースギターのような低域成分の多い楽器の音を鳴らした場合に過熱が生じやすい。そして、そのような過熱は、アンプの破損や動作の不具合を引き起こす原因となるものであった。従来より、そのような過熱による破損や不具合を回避する技術として、例えば、特開２００３−３０９４３７号（特許文献１）に記載される技術などがある。
【０００３】
特許文献１には、オーディオアンプの出力レベルが定格以下ではあるが要注意レベル以上であるとの判定が継続された時間を計測し、その時間がタイムアップ時間に到達してタイムアップした場合に、そのオーディオアンプの終段出力ライン又は電源を遮断するように構成されたオーディオアンプの回路保護装置が記載されている。
【特許文献１】特開２００３−３０９４３７号
【発明の開示】
【発明が解決しようとする課題】
【０００４】
しかしながら、特許文献１に記載されるオーディオアンプの回路保護装置は、回路保護のためにオーディオアンプの終段出力ライン又は電源を遮断した結果として、音声が出力されなくなり、聴衆に聴感上の違和感を与えたり、その後の運用を停止せざるを得なくなる等の問題点があった。
【０００５】
本発明は、上述した問題点を解決するためになされたものであり、音声の出力を突然停止したり、音響装置の動作を突然停止することのない過熱防止装置を提供することを目的としている。
【課題を解決するための手段】
【０００６】
この目的を達成するために、請求項１記載の過熱防止装置は、音声信号を入力する入力手段と、その入力手段から入力された音声信号のレベルを制限して出力するリミッタ手段と、そのリミッタ手段から出力された音声信号を増幅して出力する増幅器と、その増幅器に対し、該増幅器を駆動する電力を供給する電力供給手段と、前記増幅器からの出力を放音するスピーカ手段と、そのスピーカ手段、前記増幅器、又は前記電力供給手段のうちの少なくとも１の手段の温度に応じたセンサ値を検出する温度センサ手段と、その温度センサ手段により検出されたセンサ値を記憶する温度情報記憶手段と、その温度情報記憶手段に記憶されている前回のセンサ値と前記温度センサ手段により検出された今回のセンサ値とから得られる温度変化率に応じて、前記リミッタ手段により制限すべきレベルの閾値を制御するリミッタ制御手段とを備えている。
【０００７】
請求項２記載の過熱防止装置は、請求項１記載の過熱防止装置において、前記リミッタ制御手段は、前記温度変化率が正である場合に、その温度変化率が大きいほど、前記閾値の低下が大きくなるように制御する。
【０００８】
請求項３記載の過熱防止装置は、請求項１又は２記載の過熱防止装置において、前記リミッタ制御手段は、前記温度センサ手段により検出されるセンサ値に対応する温度が高くなるに従って、前記閾値の低下が大きくなるように制御する。
【０００９】
請求項４記載の過熱防止装置は、請求項１から３のいずれかに記載の過熱防止装置において、前記リミッタ制御手段による前記リミッタ手段の制御は、所定時間毎に繰り返し実行される。
【００１０】
請求項５記載の過熱防止装置は、請求項１から４のいずれかに記載の過熱防止装置において、前記入力手段から入力された音声信号を帯域分割する帯域分割フィルタ手段を備え、前記リミッタ手段、前記増幅器、及び前記スピーカ手段は、前記帯域分割フィルタ手段により分割された帯域に応じて形成される前記音声信号の出力経路上に配置されており、前記リミッタ制御手段は、前記分割された帯域毎に配置された前記リミッタ手段のそれぞれに対し、各リミッタ手段により制限すべきレベルの閾値を、それぞれのリミッタ手段に対応する前記出力経路上に配置された前記スピーカ手段及び前記増幅器の温度変化率に応じて制御する。
【００１１】
請求項６記載の過熱防止装置は、請求項５記載の過熱防止装置において、前記リミッタ制御手段は、前記各リミッタ手段に対応する前記出力経路上に配置された前記スピーカ手段及び前記増幅器の温度変化率とその増幅器に電力を供給する前記電力供給手段の温度変化率の中で、最も高い温度上昇を示す温度変化率に応じて、対応するリミッタ手段により制限すべきレベルの閾値を制御する。
【発明の効果】
【００１２】
請求項１記載の過熱防止装置によれば、増幅器、電源供給手段、スピーカ手段のうちの少なくとも１つの手段に対して検出される温度変化率に応じて、リミッタ手段により制限すべきレベルの閾値が制御される。
【００１３】
よって、温度変化率が比較的小さな温度変化を示す場合には、リミッタ手段により制限すべきレベルの閾値の変化量を小さくし、一方で、温度変化率が急激な温度上昇を示す場合には、その変化量を大きくするなど、過熱による機器の破損の危険性に応じてリミッタ手段により制限すべきレベルの閾値を適宜変更することができるという効果がある。その結果、過熱による機器の破損を確実に防止できると共に、過熱による破損によって音声又は楽音が突然停止されることを防止することができるという効果がある。また、電源供給手段のみならず、増幅器やスピーカ手段の温度変化率も利用できるので、過熱による機器の破損を確実に防止できるという効果がある。
【００１４】
請求項２記載の過熱防止装置によれば、請求項１記載の過熱防止装置の奏する効果に加えて、増幅器、電源供給手段、スピーカ手段のうちの少なくとも１つの手段に対して検出される温度変化率が正である場合に、その温度変化率が大きいほど、リミッタ手段により制限すべきレベルの閾値の低下が大きくなるように、リミッタ制御手段によって制御される。
【００１５】
よって、温度変化率が急激な温度上昇を示すものである程、リミッタ手段により制限すべきレベルの閾値が大きく低下される。従って、過熱による機器の破損の危険性が急激に高くなった場合に、より有効に過熱の危険性の回避を図り、その結果、過熱による機器の破損を確実に防止できるという効果がある。
【００１６】
一方で、温度変化率が緩やかな温度上昇を示すものであれば、リミッタ手段により制限すべきレベルの閾値も緩やかに低下される。そのため、放音中の音声又は楽音が突然停止されることを防止でき、その結果、聴衆に与える聴音上の違和感を軽減できるという効果がある。
【００１７】
請求項３記載の過熱防止装置によれば、請求項１又は２記載の過熱防止装置の奏する効果に加えて、温度センサ手段により検出されるセンサ値に対応する温度が高くなるに従って、リミッタ手段により制限すべきレベルの閾値の低下が大きくなるように、リミッタ制御手段によって制御される。
【００１８】
よって、増幅器、電源供給手段、スピーカ手段のうちの少なくとも１つの手段の温度が高くなるにつれて、リミッタ手段により制限すべきレベルの閾値が大きく低下されることになる。従って、過熱による温度上昇に伴って機器破損の危険性が高くなるにつれて、温度に対して敏感に該閾値の低下が行われることになり、その結果、過熱による機器の破損を確実に防止できるという効果がある。
【００１９】
請求項４記載の過熱防止装置によれば、請求項１から３のいずれかに記載の過熱防止装置の奏する効果に加えて、リミッタ制御手段による前記リミッタ手段の制御が所定時間毎に繰り返し実行されるので、時々刻々と変化する温度の変化に対応でき、過熱による機器の破損を確実に防止できるという効果がある。
【００２０】
請求項５記載の過熱防止装置によれば、請求項１から４のいずれかに記載の過熱防止装置の奏する効果に加えて、入力手段から入力された音声信号の帯域に応じて形成される音声信号の出力経路上に増幅器及びスピーカ手段が配置されており、各帯域の出力経路毎に、各出力経路上に配置された増幅器又はスピーカ手段の温度変化率に応じて、それらのスピーカ手段及び増幅器の配置された出力経路上にあるリミッタ手段に対し、そのリミッタ手段により制限すべきレベルの閾値が、リミッタ制御手段によって制御される。
【００２１】
よって、各帯域の出力経路毎に過熱の回避を図ることができるので、特に過熱され易い低域成分に対しても有効な過熱防止対策を取り得、機器の破損を確実に防止できるという効果がある。また、例えば、過熱され易い低域成分の放音が停止されたとしても、中域や高域の放音は継続されるなど、全ての帯域が一度に放音を停止することを防止し得、聴衆の感じる違和感を軽減できるという効果がある。
【００２２】
請求項６記載の過熱防止装置によれば、請求項５記載の過熱防止装置の奏する効果に加えて、各リミッタ手段に対応する出力経路上に配置されたスピーカ手段及び増幅器の温度変化率とその増幅器に電力を供給する電力供給手段の温度変化率の中で、最も高い温度上昇を示す温度変化率に応じて、対応するリミッタ手段により制限すべきレベルの閾値が、リミッタ制御手段によって制御される。
【００２３】
よって、各帯域の出力経路毎に、最も過熱の危険性のある温度変化率に応じた制御が行われるので、機器の過熱の危険性が有効に回避され、その結果として、機器の破損を確実に防止できるという効果がある。
【００２４】
なお、請求項６において、電力供給手段は、各帯域の出力経路毎に設けられた増幅器毎に設けたものであってもよいし、全て又は一部の増幅器に共通の増幅器であってもよい。また、請求項６における「最も高い温度上昇を示す温度変化率」は、全ての温度変化率が温度の下降を示した場合における「最も低い温度下降を示す温度変化率」を含む。
【発明を実施するための最良の形態】
【００２５】
以下、本発明の好ましい実施例について、添付図面を参照して説明する。図１は、本発明の一実施例における過熱防止装置１の構成を示すブロック図である。
【００２６】
この過熱防止装置１は、楽器用アンプなどの音響装置の一部であり、音声信号を増幅するパワーアンプＰＡ（ＰＡ１〜ＰＡ３）、そのパワーアンプＰＡから出力された音声信号を放音するスピーカＳＰ（ＳＰ１〜ＳＰ３）、及びパワーアンプＰＡに電力を供給する電源ＰＷのそれぞれの過熱危険性を予測することによって、パワーアンプＰＡ、スピーカＳＰ、及び電源ＰＷの過熱による破損を防止するものである。
【００２７】
過熱防止装置１は、図１に示すように、入力された音声信号を３つの帯域（低域、中域、高域）に分割する３つのバンドパスフィルタＢＰＦ（ＢＰＦ１〜ＢＰＦ３）と、そのバンドパスフィルタＢＰＦにより分割された各帯域の音声信号の最大レベルを制限するリミッタＬ（Ｌ１〜Ｌ３）と、それら３つのリミッタＬ１〜Ｌ３からそれぞれ出力された音声信号を増幅するパワーアンプＰＡ（ＰＡ１〜ＰＡ３）と、それら３つのパワーアンプＰＡ１〜ＰＡ３から出力された音声信号をそれぞれ放音する３つのスピーカＳＰ（ＳＰ１〜ＳＰ３）と、パワーアンプＰＡ１〜ＰＡ３に電力を供給する電源ＰＷと、３つのパワーアンプＰＡ１〜ＰＡ３、３つのスピーカＳＰ１〜ＳＰ３、及び電源ＰＷの温度をそれぞれ検出するサーミスタ等の７つのセンサＳＥと、それらの７つのセンサＳＥにより検出された温度に基づいて過熱の予測を行い、その予測に応じてリミッタＬ１〜Ｌ３により制限されるべきレベルの閾値（以下、これを「リミッタ値」と称する）を制御する過熱予測装置１０とを備えている。なお、本実施例のリミッタＬは、入力信号の振幅値がリミッタ値を越えた場合には、このリミッタ値に相当する振幅の信号を出力するものとする。
【００２８】
また、以下の説明では、７つのセンサＳＥを、それぞれ、パワーアンプＰＡ１〜ＰＡ３の温度を検出するものをそれぞれセンサ１〜センサ３と称し、スピーカＳＰ１〜ＳＰ３の温度を検出するものをそれぞれセンサ４〜センサ６と称し、電源ＰＷの温度を検出するものをセンサ７と称する。
【００２９】
次に、図２を参照して、過熱予測装置１０について説明する。図２は、過熱予測装置１０の構成を示すブロック図である。図２に示すように、過熱予測装置１０は、ＣＰＵ１１と、ＲＯＭ１２と、ＲＡＭ１３と、これらの構成間を接続するバスライン１４とから構成される。
【００３０】
ＣＰＵ１１は、過熱予測装置１０を制御する中央処理装置であり、センサ１〜センサ７により検出された温度の情報を入力し、図４を参照して後述する過熱防止処理を行った結果に応じてリミッタＬ１〜Ｌ３にリミッタ値を出力するものである。
【００３１】
ＲＯＭ１２は、ＣＰＵ１１により実行される各種の制御プログラムや、その実行の際に参照される固定値データが格納されたメモリであり、センサ値テーブル１２ａと制御関数テーブル１２ｂとを備えている。ここで、センサ値テーブル１２ａ及び制御関数テーブル１２ｂを説明する上で、図３を適宜参照して説明する。なお、図３（ａ）は、センサ値テーブル１２ａを説明する図であり、図３（ｂ）は、制御関数テーブル１２ｂを説明する図である。
【００３２】
センサ値テーブル１２ａは、センサ１〜７により検出された各部位（パワーアンプＰＡ１〜ＰＡ３、スピーカＳＰ１〜ＳＰ３、電源ＰＷ）の実際の温度ｔを、後述する過熱防止処理（図４参照）で用いるための値（以下、これを「センサ値」と称する）ｎに変換するためのテーブルである。
【００３３】
本実施例では、センサ値テーブル１２ａとして、図３（ａ）に示すような、センサＳＥにより検出される温度ｔを横軸とし、その温度ｔに対応するセンサ値ｎを縦軸とするテーブルを用いる。ここで、センサ値テーブル１２ａは、図３（ａ）に示すように、センサＳＥにより検出される温度ｔが高くなるにつれて、センサ値ｎの変化幅が大きくなるようなテーブルである。よって、このようなセンサ値テーブル１２ａを用いることにより、過熱の危険性の高まる高温になる程、センサ値ｎが温度ｔに対して敏感になり、その結果として、音響装置の過熱防止を確実に行うことができることになる。
【００３４】
制御関数テーブル１２ｂは、センサ値ｎに基づいて得られる温度変化率Ｔと、リミッタＬにおけるリミッタ値の下げ幅とを関係付けたテーブルである。
【００３５】
本実施例では、制御関数テーブル１２ｂとして、図３（ｂ）に示すような、温度変化率Ｔを横軸とし、その温度変化率Ｔに対応するリミッタ値の下げ幅Ｇ（Ｔ）を縦軸とするテーブルを用いる。
【００３６】
なお、この制御関数テーブル１２ｂで参照される温度変化率Ｔは、後述する過熱防止処理（図４参照）により得られる値であり、Ｔ＝５０の場合は、温度変化がないことを示し、Ｔ＞５０であれば、温度上昇があったことを示し、Ｔ＜５０であれば、温度下降があったことを示す。
【００３７】
よって、図３（ｂ）に示す制御関数テーブル１２ｂによれば、温度変化がなかった場合（Ｔ＝５０）にはリミッタ値の下げ幅Ｇ（Ｔ）がゼロ（Ｇ（５０）＝０）とされ、温度上昇があった場合（５０＜Ｔ≦１００）には、リミッタ値の下げ幅Ｇ（Ｔ）は、０＜Ｇ（Ｔ）≦Ｇ（１００）の範囲の正の値をとり、一方で、温度下降があった場合（０≦Ｔ＜５０）には、Ｇ（０）≦Ｇ（Ｔ）＜０の範囲の負の値をとる。
【００３８】
ここで、この制御関数テーブル１２ｂは、温度上昇があった場合（５０＜Ｔ≦１００）には、その温度変化率Ｔが大きくなる程、リミッタ値の下げ幅Ｇ（Ｔ）が大きくなるような関数とされている。従って、このような制御関数テーブル１２ｂを用いることにより、温度変化率Ｔが急激に上昇した場合、即ち、温度の急激な上昇があった場合に、リミッタＬのリミッタ値が大きく低下されることになるので、音響装置の過熱防止を確実に行うことができることになる。
【００３９】
その一方で、温度変化率Ｔが緩やかな温度上昇を示すものであれば、リミッタ値の下げ幅Ｇ（Ｔ）も小さい。それによって、リミッタＬのリミッタ値も緩やかに低下されるので、放音中の音声又は楽音が突然停止されることを防止でき、その結果、聴衆に与える聴音上の違和感を軽減することができる。
【００４０】
ＲＡＭ１３は、ＣＰＵ１１で実行される制御プログラムに必要な各種レジスタ群などが設定されたワーキングエリアや、処理中のデータを一時的に格納するテンポラリエリア等を有しランダムにアクセスできる書き換え可能なメモリであり、センサ値メモリ１３ａとリミッタ設定値メモリ１３ｂとを備えている。
【００４１】
センサ値メモリ１３ａは、センサＳＥにより検出された温度ｔに基づくセンサ値ｎを格納するものであり、センサ１〜センサ７にそれぞれ対応するセンサ値ｎ（ｎ１〜ｎ７）を格納する第１センサメモリ１３ａ１〜第７センサメモリ１３ａ７を備えている。
【００４２】
リミッタ設定値メモリ１３ｂは、リミッタＬに設定されるリミッタ値を格納するものであり、リミッタＬ１〜Ｌ３にそれぞれ対応する設定値を格納する第１リミッタ設定値メモリ１３ｂ１〜第３リミッタ設定値メモリ１３ｂ３を備えている。
【００４３】
次に、図４を参照して、上記のように構成された過熱防止装置１において、音響装置の過熱を防止する処理について説明する。図４は、過熱防止装置１のＣＰＵ１０により実行される過熱防止処理を示すフローチャートである。この過熱防止処理は、過熱防止装置１に電源が供給されると起動する処理である。
【００４４】
図４に示すように、過熱防止処理では、まず、センサ１〜センサ７が示す各部位（パワーアンプＰＡ１〜ＰＡ３、スピーカＳＰ１〜ＳＰ３、電源ＰＷ）の温度ｔとセンサ値テーブル１２ａとに基づいて、それぞれのセンサ値ｎを、第１センサ値ｎ１〜第７センサ値ｎ７として取得し、それらの値を、対応する第１センサ値メモリ１３ａ１〜第７センサ値メモリ１３ａ７にそれぞれ記憶する（Ｓ４０１）。次いで、第１リミッタ設定値メモリ１３ｂ１〜第３リミッタ設定値メモリ１３ｂ３の値Ｌ１〜Ｌ３を、初期値としてそれぞれ１００に設定する（Ｓ４０２）。
【００４５】
Ｓ４０２の処理後、第ｘセンサ値メモリ１３ａｘ（ｘ＝１〜７）の値ｎｘを、前回の第ｘセンサ値ｍｘとして設定する（Ｓ４０３）。Ｓ４０３の処理後、Ｓ４０１と同様に、センサ１〜センサ７が示す温度ｔとセンサ値テーブル１２ａとに基づいて、第１センサ値ｎ１〜第７センサ値ｎ７を取得し、それらの値を対応する第１センサ値メモリ１３ａ１〜第７センサ値メモリ１３ａ７にそれぞれ記憶する（Ｓ４０４）。
【００４６】
Ｓ４０４の処理後、センサ１〜７に対応する各部位（パワーアンプＰＡ１〜ＰＡ３、スピーカＳＰ１〜ＳＰ３、電源ＰＷ）の所定時間（例えば、１０ｍｓ）あたりの温度変化率Ｔｘを、式Ｔｘ＝ｎｘ−ｍｘ（ｘ＝１〜７）に基づいてそれぞれ取得する（Ｓ４０５）。
【００４７】
Ｓ４０５の処理後、変数ｙの値を１に設定し（Ｓ４０６）、リミッタＬｙ（ｙ＝１〜３のうち、Ｓ４０６又は後述するＳ４１６において設定された値）に対応する部位の温度変化率Ｔｘの最大値に５０を加算し、その値を温度変化率Ｔとして設定する（Ｓ４０７）。
【００４８】
なお、Ｓ４０７における「リミッタＬｙに対応する部位の温度変化率Ｔｘ」は、具体的に、リミッタＬｙの配置された出力経路上にあるパワーアンプＰＡ及びスピーカＳＰにそれぞれ対応する温度変化率Ｔｘと、そのパワーアンプＰＡに電力を供給する電源ＰＷの温度変化率Ｔ７とを指す。例えば、ＢＰＦ１を通過した帯域の音声信号を出力する経路上に配置されるリミッタＬ１に対応する部位の温度変化率Ｔｘは、パワーアンプＰＡ１の温度変化率Ｔ１と、スピーカＳＰ１の温度変化率Ｔ４と、パワーアンプＰＡ１に電力を供給する電源ＰＷの温度変化率Ｔ７とを指す。
【００４９】
また、Ｓ４０７において、「温度変化率Ｔｘの最大値」は、最も高い温度上昇を示す温度変化率Ｔｘの値であると共に、リミッタＬｙに対応する全て部位の温度変化率Ｔｘが温度の下降を示した場合に、最も低い温度下降を示す温度変化率Ｔｘの値である。
【００５０】
Ｓ４０７の処理後、温度変化率Ｔが１００を超えているか（Ｔ＞１００）を確認し（Ｓ４０８）、１００を超えていれば（Ｓ４０８：Ｙｅｓ）、温度変化率Ｔを１００に設定し（Ｓ４１０）、Ｓ４１２の処理へ移行する。
【００５１】
一方で、Ｓ４０８の処理により確認した結果、温度変化率Ｔが１００以下であれば（Ｓ４０８：Ｎｏ）、温度変化率Ｔが０未満（Ｔ＜０）であるかを確認し（Ｓ４０９）、０未満であれば（Ｓ４０９：Ｙｅｓ）、温度変化率Ｔを０に設定し（Ｓ４１１）、Ｓ４１２の処理へ移行する。
【００５２】
よって、Ｓ４０７〜Ｓ４１１の処理の結果として、温度変化率Ｔ＝５０である場合には、対応する部位の温度上昇がないことを示し、５０＜Ｔ≦１００である場合には、対応する部位の温度が上昇したこと（温度変化率Ｔｘが正であること）を示し、０≦Ｔ＜５０である場合には、対応する部位の温度が下降したこと（温度変化率Ｔｘが負であること）を示す。
【００５３】
Ｓ４１２では、制御関数テーブル１２ｂに基づいて、温度変化率Ｔの値から、リミッタＬｙのリミッタ値の下げ幅Ｇ（Ｔ）を取得する。次いで、Ｓ４１２の処理により得られたＧ（Ｔ）の値を用いて、対応する第ｙリミッタ設定値メモリ１３ｂｙの値Ｌｙを、式Ｌｙ＝Ｌｙ−Ｇ（Ｔ）に基づいて変更し（Ｓ４１３）、リミッタＬｙのリミッタ値を、変更された第ｙリミッタ設定値メモリ１３ｂｙの値であるＬｙに設定する（Ｓ４１４）。
【００５４】
Ｓ４１４の処理後、変数ｙの値が３であるかを確認し（Ｓ４１５）、ｙ＝３でなければ（Ｓ４１５：Ｎｏ）、変数ｙの値を１増分（ｙ＝ｙ＋１）し（Ｓ４１６）、Ｓ４０７の処理へ移行する。そして、Ｓ４１５の処理によりｙ＝３であることが確認されるまで、Ｓ４０７〜Ｓ４１６の処理を繰り返し実行する。
【００５５】
これらＳ４０６〜Ｓ４１６の処理の結果として、各帯域の出力経路毎に最も過熱の危険性のある温度変化率に応じて、その出力経路に対応するリミッタＬｙ（ｙ＝１〜３のいずれか）のリミッタ値が設定される。よって、機器の過熱の危険性を有効に回避することができ、機器の破損を確実に防止することができる。また、各帯域毎にリミッタＬのリミッタ値が設定されるので、例えば、過熱され易い低域成分の放音が停止されたとしても、中域や高域の放音は継続されるなど、全ての帯域が一度に放音を停止することを防止し得、聴衆の感じる違和感を軽減できる。
【００５６】
この場合、特に、リミッタＬｙのリミッタ値の制御に用いる温度変化率Ｔが、そのリミッタＬｙに対応する部位の温度変化率Ｔｘの中の最大値であるので、各帯域の出力経路において最も過熱の危険性のある温度変化率に応じた制御が行われることになる。よって、機器の過熱の危険性を有効に回避させることができ、その結果として、機器の破損を確実に防止することができるのである。
【００５７】
一方で、Ｓ４１５の処理により確認した結果、ｙ＝３であれば（Ｓ４１５：Ｙｅｓ）、所定の周期（例えば、１０ｍｓｅｃ）であるかを確認し（Ｓ４１７）、所定の周期でなければ（Ｓ４１７：Ｎｏ）、所定の周期であるかの確認（Ｓ４１７）を繰り返し、所定の周期であることが確認されたら（Ｓ４１７：Ｙｅｓ）、Ｓ４０３の処理へ戻り、Ｓ４０３〜Ｓ４１７の処理を繰り返して実行する。
【００５８】
以上説明したように、本実施例の過熱防止装置１によれば、パワーアンプＰＡ（ＰＡ１〜ＰＡ７）、スピーカＳＰ（ＳＰ１〜ＳＰ３）、電源ＰＷに対して検出される温度変化率Ｔ１〜Ｔ７に応じて、リミッタＬ（Ｌ１〜Ｌ３）のリミッタ値が変更される。
【００５９】
ここで、制御関数テーブル１２ｂは、温度変化率Ｔが５０以上、即ち、対応する部位の温度変化率Ｔｘ（ｘ＝１〜７）が正である場合には、その温度変化率Ｔが大きいほどリミッタ値に対して大きな下げ幅Ｇ（Ｔ）を与えるので、過熱の危険性を有効に回避させ、その結果、過熱による過熱防止装置１及びそれを含む音響機器の破損を確実に防止することができる。
【００６０】
また、制御関数テーブル１２ｂは、最も温度変化のあった部位の温度変化率Ｔｘ（ｘ＝１〜７）が正であっても、その変化率が小さければ、小さい下げ幅Ｇ（Ｔ）を与えるので、リミッタＬによるレベルの制限が緩やかに行われ、その結果、放音中の音声又は楽音が突然停止される事態を防止できる。そのため、聴衆に与える聴音上の違和感を軽減できる。
【００６１】
また、本実施例の過熱防止装置１によれば、電源ＰＷの温度のみならず、パワーアンプＰＡ（ＰＡ１〜ＰＡ７）やスピーカＳＰ（ＳＰ１〜ＳＰ３）の温度を検出し、これらの温度も利用して過熱の防止を図るので、過熱による過熱防止装置１及びそれを含む音響機器の破損を確実に防止することができる。
【００６２】
また、本実施例の過熱防止装置１では、上記した過熱防止処理（図４）を所定時間毎に実行するので、時々刻々と変化する温度の変化に対応でき、過熱による過熱防止装置１及びそれを含む音響機器の破損を確実に防止することができる。
【００６３】
なお、請求項１記載の入力手段としては、過熱防止処理によって処理させるための音声信号を過熱防止装置１へ入力する入力が該当する、また、請求項１記載のリミッタ制御手段としては、過熱防止処理（図４）が該当する。
【００６４】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００６５】
例えば、上記実施例では、センサ値テーブル１２ａは、センサＳＥによって温度が検出される全ての部位（パワーアンプＰＡ１〜ＰＡ７、スピーカＳＰ１〜ＳＰ３、電源ＰＷ）に共通する１のテーブルとして構成したが、各部位（パワーアンプＰＡ１〜ＰＡ７、スピーカＳＰ１〜ＳＰ３、及び電源ＰＷのそれぞれ）に対して個々に特有のテーブルをセンサ値テーブル１２ａとして割り当てるように構成してもよい。あるいは、各帯域毎に特有のテーブルをセンサ値テーブル１２ａとして割り当てるように構成してもよい。
【００６６】
同様に、制御関数テーブル１２ｂもまた、センサＳＥによって温度が検出される全ての部位（パワーアンプＰＡ１〜ＰＡ７、スピーカＳＰ１〜ＳＰ３、電源ＰＷ）に共通する１のテーブルであることに限定されず、各部位や帯域毎に特有のテーブルを割り当てるように構成してもよい。
【００６７】
このようにセンサ値テーブル１２ａや制御関数テーブル１２ｂを、センサＳＥで温度を検出させる各部位や分割された各帯域に応じてそれぞれ適切なものを個別に設けることによって、過熱の危険性をより有効に回避させるような制御が可能となる。
【００６８】
また、上記実施例では、１つの電源ＰＷによって３つのパワーアンプＰＡ１〜ＰＡ３に電力を供給するように構成したが、パワーアンプＰＡ１〜ＰＡ３のそれぞれに対し、別々の電源ＰＷを接続し、各電源ＰＷから対応するパワーアンプＰＡ（ＰＡ１〜ＰＡ３）にそれぞれ電力を供給するように構成してもよい。または、例えば、パワーアンプＰＡ１，ＰＡ２に対して１の電源ＰＷから電力を供給し、残りのパワーアンプＰＡ３に対して別の電源ＰＷから電力を供給するなど、パワーアンプＰＡと電源ＰＷが１対１の関係にない構成であってもよい。
【００６９】
また、上記実施例では、３つのバンドパスフィルタＢＰＦ１〜ＢＰＦ３により分割された３つの帯域それぞれに、パワーアンプＰＡ１〜ＰＡ３及びスピーカＳＰ１〜ＳＰ３を設けるように構成したが、例えば、中域と高域とに対してパワーアンプＰＡ及びスピーカＳＰを共通にするように構成してもよい。
【００７０】
また、上記実施例では、複数のバンドパスフィルタにより帯域分割を行うように構成したが、ハイパスフィルタやローパスフィルタを併用して帯域分割を行うように構成してもよい。
【００７１】
また、上記実施例では、センサＳＥにより検出された温度ｔをセンサ値テーブル１２ａを用いてセンサ値ｎに変換し、そのセンサ値ｎを用いて温度変化率Ｔを得るように構成したが、センサ値テーブル１２ａを設けることなく、センサＳＥにより検出された温度を用いて温度変化率Ｔを得るように構成してもよい。
【００７２】
また、上記実施例では、リミッタＬは、入力信号の振幅値がリミッタ値を越えた場合には、リミッタ値に相当する振幅の信号を出力するものとして構成したが、リミッタ値を越える部分については、増幅率を小さくして出力するように構成してもよい。
【図面の簡単な説明】
【００７３】
【図１】本発明の一実施例における過熱防止装置の構成を示すブロック図である。
【図２】過熱予測装置の構成を示すブロック図である。
【図３】センサ値テーブル及び制御関数テーブルを説明する図である。
【図４】過熱防止処理を示すフローチャートである。
【符号の説明】
【００７４】
１                            過熱防止装置
１２ａ                        センサ値テーブル（温度センサ手段の一部）
１３ａ（１３ａ１〜１３ａ７）  センサ値メモリ（温度情報記憶手段）
Ｌ（Ｌ１〜Ｌ３）              リミッタ（リミッタ手段）
ＰＷ                          電源（電源供給手段）
ＳＰ（ＳＰ１〜ＳＰ３）        スピーカ（スピーカ手段）
ＰＡ（ＰＡ１〜ＰＡ３）        パワーアンプ（増幅器）
ＳＥ（センサ１〜センサ７）    センサ（温度センサ手段の一部）
ＢＰＦ（ＢＰＦ１〜ＢＰＦ３）  バンドパスフィルタ（帯域分割フィルタ手段）
【図１】
2006287847.tif 000003
【図２】
2006287847.tif 000004
【図３】
2006287847.tif 000005
【図４】
2006287847.tif 000006